(57)【要約】      （修正有）【課題】十分な着座感を得られる座面構造と、使用時における簡便な操作性および収納性を両立可能とする伸縮椅子付き浴槽を提供する。【解決手段】浴槽内空７を横断可能な座面用の帯状体１１を伸縮自在に巻き取った第１ロール部１０を一方の壁面２に備え、第１ロール部１０から伸長する座面用の帯状体１１の先端を係止する第１係止部を一方の壁面２と対向する他方の壁面３に備えて伸縮椅子付き浴槽１を構成する。【選択図】図１
0003177320.tif 000002
【実用新案登録請求の範囲】
【請求項１】
浴槽内空を横断可能な座面用の帯状体を伸縮自在に巻き取った第１ロール部を、一方の壁面に備え、前記第１ロール部から伸長する座面用の帯状体の先端を係止する第１係止部を、前記一方の壁面と対向する他方の壁面に備えたことを特徴とする伸縮椅子付き浴槽。
【請求項２】
前記一方の壁面において、前記第１ロール部の設置位置と隣接し、前記第１ロール部より上方の位置に、浴槽内空を横断可能な上体支え用の帯状体を伸縮自在に巻き取った第２ロール部を備え、
前記第２ロール部から伸長する上体支え用の帯状体の先端を係止する第２係止部を、前記一方の壁面と対向する他方の壁面における前記第１係止部の設置位置と隣接し、前記第１係止部より上方の位置に備えたことを特徴とする請求項１に記載の伸縮椅子付き浴槽。
【請求項３】
前記帯状体は、表面において、所定高の凸部と所定径の水抜き孔とが所定間隔で複数配置されたものであることを特徴とする請求項１または２に記載の伸縮椅子付き浴槽。
【考案の詳細な説明】
【技術分野】
【０００１】
本考案は伸縮椅子付き浴槽に関し、具体的には、十分な着座感を得られる座面構造と、使用時における簡便な操作性および収納性を両立可能な技術に関する。
【背景技術】
【０００２】
医療施設に入院等で滞在する人々にとり、浴槽での入浴行為は、単に身体を清潔に保つ為の行為のみならず、精神的な開放感や安堵感等を得る大切な機会ともなっている。一方、各種疾病や障害、加齢による身体機能の低下など様々な要因によって、浴槽内での自らの姿勢を自在に維持しにくい人々も存在する。そうした人々にとって、浴槽での入浴行為は困難を伴い、その介助者にとっても負担を強いるものとなっている。そこで、浴槽内での入浴者の姿勢維持を容易にし、ひいては入浴自体を安全でスムーズなものとすべく様々な技術が提案されている。
【０００３】
そうした技術として例えば、健常者と身体障害者等が従来のデメリットがなく兼用することができる多機能のユニットバスを提供することを課題として、浴槽の内側の縁壁に収納可能であり、下端が回転軸に対して回転自在に係合されると共に浴槽の内側の縁壁の凹部に収納可能な椅子本体と、椅子本体の上端に貼着された鉄板と、前記浴槽の内側の縁壁の凹部に前記鉄板の位置に対応して埋設されたスプリング付き磁石と、から成る収納式椅子を設けたユニットバス（特許文献１参照）などが提案されている。
【０００４】
また、浴槽の内壁面に沿って装着可能とする装着部付き背板部を備え、該背板部の下側には、背板部と略平行な状態と、浴槽の底面に沿う略水平な状態との間に展開可能な折り畳み自在構造の座板用可動板部が枢着される一方、座板用可動板部の遊端側左右には、該座板用可動板部が背板部と略平行な状態では側方に突出して肘掛部を構成し、同座板用可動板部が略水平な状態では下方に突出して座板用可動板部の前脚部を構成するようにした一対の突出杆部が設けられてなることを特徴とする浴槽内装着用椅子（特許文献２参照）なども提案されている。
【０００５】
また、それぞれ平板状の頭支え部、背支え部および座部と、該背支え部または該座部から延出される脚部とで構成され、該背支え部と該座部とを折り畳み可能な入浴用折り畳み椅子であって、使用状態において、該頭支え部が略水平に、該背支え部が後方に傾斜状に、該座部が前上がりに、それぞれ配置されるように構成されてなることを特徴とする入浴用折り畳み椅子（特許文献３参照）なども提案されている。
【先行技術文献】
【特許文献】
【０００６】
【特許文献１】特開２００３−３８３７６号公報
【特許文献２】特開平１１−３４６９４７号公報
【特許文献２】実用新案登録第３１０８２１８号公報
【考案の概要】
【考案が解決しようとする課題】
【０００７】
従来技術等によれば、浴槽内にて椅子を利用することが可能になる。しかしながら、入浴毎に、別体の椅子を浴槽内に搬入し据え付けることが必要となるなど、入院患者などの入浴者に少なくない作業負担を強いるものであった。また、浴槽壁内に収納できる折り畳み構造の椅子であっても、浴槽壁面の形状や面積の制約があり、入浴者が十分安心して安定的に腰掛けられるほどの座面を確保できるものとはなっていなかった。してみれば、従来の浴槽内椅子は、入浴者ないしその介助者にとって入浴時に不要な作業負担を強いるか、或いは大きな作業負担は無くとも着座感が十分に得られないものとなっていた。
【０００８】
本考案は、上記のような課題に鑑みなされたものであって、十分な着座感を得られる座面構造と、使用時における簡便な操作性および収納性を両立可能な技術を提供することを目的とする。
【課題を解決するための手段】
【０００９】
上記のような課題を解決する本考案の伸縮椅子付き浴槽は、浴槽内空を横断可能な座面用の帯状体を伸縮自在に巻き取った第１ロール部を、一方の壁面に備え、前記第１ロール部から伸長する座面用の帯状体の先端を係止する第１係止部を、前記一方の壁面と対向する他方の壁面に備えたことを特徴とする。
【００１０】
なお、前記の伸縮椅子付き浴槽において、前記一方の壁面において、前記第１ロール部の設置位置と隣接し、前記第１ロール部より上方の位置に、浴槽内空を横断可能な上体支え用の帯状体を伸縮自在に巻き取った第２ロール部を備え、前記第２ロール部から伸長する上体支え用の帯状体の先端を係止する第２係止部を、前記一方の壁面と対向する他方の壁面における前記第１係止部の設置位置と隣接し、前記第１係止部より上方の位置に備えるとしてもよい。
【００１１】
また、前記の伸縮椅子付き浴槽において、前記帯状体は、表面において、所定高の凸部と所定径の水抜き孔とが所定間隔で複数配置されたものであるとしてもよい。
【考案の効果】
【００１２】
本考案によれば、十分な着座感を得られる座面構造と、使用時における簡便な操作性および収納性を両立可能となる。
【図面の簡単な説明】
【００１３】
【図１】本実施形態の伸縮椅子付き浴槽の構造例１を示す図である。
【図２】本実施形態における第１ロール部と第１係止部の構造例１を示す図である。
【図３】本実施形態における第１ロール部と第１係止部の構造例２を示す図である。
【図４】本実施形態における第２ロール部と第２係止部の構造例１を示す図である。
【図５】本実施形態における第２ロール部と第２係止部の構造例２を示す図である。
【図６】本実施形態の伸縮椅子付き浴槽の使用状況例１を示す図である。
【図７】本実施形態の伸縮椅子付き浴槽の使用状況例２を示す図である。
【図８】本実施形態の伸縮椅子付き浴槽の構造例２を示す図である。
【図９】本実施形態の伸縮椅子付き浴槽の構造例３を示す図である。
【考案を実施するための形態】
【００１４】
以下、図面を参照しながら本考案の実施の形態について説明する。図１は本実施形態の伸縮椅子付き浴槽の構造例１を示す図である。本実施形態における伸縮椅子付き浴槽１は、十分な着座感を得られる座面構造と、使用時における簡便な操作性および収納性を両立可能とする浴槽である。本実施形態では、浴室１００において、伸縮椅子付き浴槽１の上方に手すり３０が設置され、更には、シャワー３１、鏡台３２なども備わっている。この伸縮椅子付き浴槽１は、浴槽内空７を横断可能な座面用の帯状体１１を伸縮自在に巻き取った第１ロール部１０を、一方の壁面２に備えている。また、伸縮椅子付き浴槽１は、第１ロール部１０から伸長する座面用の帯状体１１の先端を係止する第１係止部４０（図２参照）を、一方の壁面２と対向する他方の壁面３に備えている。
【００１５】
また上述の伸縮椅子付き浴槽１は、一方の壁面２において、第１ロール部１０の設置位置と隣接し、第１ロール部１０より上方の位置に、浴槽内空７を横断可能な上体支え用の帯状体２１を伸縮自在に巻き取った第２ロール部２０を備えるものとする。この場合の伸縮椅子付き浴槽１は、第２ロール部１０から伸長する上体支え用の帯状体２１の先端を係止する第２係止部５０（図４参照）を、一方の壁面２と対向する他方の壁面３における第１係止部４０の設置位置と隣接し、第１係止部４０より上方の位置に備えている。
【００１６】
第１ロール部１０から伸長する座面用の帯状体１１、および第２ロール部２０から伸長する上体支え用の帯状体２１をもって、伸縮椅子とみなすことができる。
【００１７】
上述した一方の壁面２における第１ロール部１０の設置位置は、入浴者が座面用の帯状体１１に腰掛けた際に、膝を無理に屈曲させたり、或いはつま先を伸ばしても浴槽底面６に達しないといった状況にならぬよう、予め配慮したものとなっている。例えば、第１ロール部１０から伸長する座面用の帯状体１１と、浴槽底面６との間の離間距離が、入浴者が座面用の帯状体１１に腰掛けた際の膝下の長さと略近しくなる（壁面１における）高さに、第１ロール部１０は設置される。第１ロール部１０から伸長させた座面用の帯状体１１を係止する第１係止部４０が、他方の壁面３に設置されている位置も、この第１ロール部１０のものと同様である。
【００１８】
上述した一方の壁面２における第２ロール部２０の設置位置は、入浴者が座面用の帯状体１１に腰掛けた際に、上体支え用の帯状体２１に上体を預けてリラックス出来るよう予め配慮したものとなっている。例えば、第２ロール部２０から伸長する上体支え用の帯状体２１が、座面用の帯状体１１に腰掛けた入浴者の背中に当接する（壁面２における）高さに、第２ロール部２０は設置される。第２ロール部２０から伸長させた上体支え用の帯状体２１を係止する第２係止部５０が、他方の壁面３に設置されている位置も、この第２ロール部２０のものと同様である。
【００１９】
なお、座面用の帯状体１１および上体支え用の帯状体２１は、例えば、適宜な柔軟性、可撓性をもった合成樹脂、ゴム、或いは帆布、不織布などで構成された部材であることが想定できる。いずれにしても、第１ロール部１０や第２ロール部２０に巻き取られる程度の十分な可撓性と、入浴者が着座して体を預けた際に違和感や苦痛を感じない十分な柔軟性、および、入浴者の体重を含む着座時の荷重を受けても断裂等の破損を生じない十分な強度を備えている部材であれば、いずれのものも採用できる。
【００２０】
続いて、第１ロール部１０における座面用の帯状体１１の伸長動作と、伸長した座面用の帯状体１１の、第１係止部４０での係止動作について説明する。図２は本実施形態における第１ロール部と第１係止部の構造例１を示す図であり、図３は本実施形態における第１ロール部と第１係止部の構造例２を示す図である。
【００２１】
この場合、入浴者は、座面用の帯状体１１の先端に備わるフック１８を把持し、これを他方の壁面３に備わる第１係止部４０に向けて引っ張る。この動作により、第１ロール部１０に巻回されていた座面用の帯状体１１が、軸体１７に備わる巻回用バネの適宜な反発を受けながら、第１ロール部１０から浴槽内空７に向けて送り出されていく。なお、第１ロール部１０は、壁面２に設けられた凹部１４に嵌め込み設置されており、座面用の帯状体１１の他、当該座面用の帯状体１１をバネの付勢を受けて巻回する軸体１７、軸体１７を凹部１４の開口にて軸支する支持部材１５、凹部１４の開口における座面用の帯状体１１の送出位置を固定するガイド１６、を備えている。軸体１７が具備するバネは、座面用の帯状体１１を軸体１７に巻き取ろうとする方向に付勢を行う手段である。
【００２２】
上述の座面用の帯状体１１は、その表面において、所定高の凸部１２と所定径の水抜き孔１３とが所定間隔で複数配置されたものである。こうした凸部１２と水抜き孔１３が配置されていることで、座面用の帯状体１１の水濡れを適宜抑制し、ここに着座した入浴者の臀部の滑りを防止することが出来る。
【００２３】
フック１８を先頭に、第１ロール部１０から浴槽内空７に向けて送り出されていく座面用の帯状体１１は、入浴者の引張動作により、第１係止部４０に到達する。この第１係止部４０は、壁面３に設けられた凹部４１に嵌め込み設置されている。第１係止部４０は、上述のフック１８における貫通孔１９に嵌合する嵌合突起４３、凹部４１に入り込んだ水を底部４２から排出するための開口４４、当該開口４４と連通し、開口４４から流下してくる水を排水する排水口４５、を備えている。なお、排水口４５は凹部４１の開口下方における壁面３に設けられている。
【００２４】
座面用の帯状体１１におけるフック１８は、第１係止部４０における嵌合突起４３と、貫通孔１９を介して嵌合される（図３の状態）。座面用の帯状体１１に入浴者が着座した場合、当然ながら座面用の帯状体１１には、下方すなわち浴槽底面６に向けた力が加わることになる。よって、第１係止部４０における嵌合突起４３とフック１８との嵌合は、入浴者が着座している限り、維持されることになる。
【００２５】
次に、第２ロール部２０における上体支え用の帯状体２１の伸長動作と、伸長した上体支え用の帯状体２１の、第２係止部５０での係止動作について説明する。図４は本実施形態における第２ロール部と第２係止部の構造例１を示す図であり、図５は本実施形態における第２ロール部と第２係止部の構造例２を示す図である。
【００２６】
この場合、入浴者は、上体支え用の帯状体２１の先端に備わるフック２８を把持し、これを他方の壁面３に備わる第２係止部５０に向けて引っ張る。この動作により、第２ロール部２０に巻回されていた上体支え用の帯状体２１が、軸体２７に備わる巻回用バネの適宜な反発を受けながら、第２ロール部２０から浴槽内空７に向けて送り出されていく。なお、第２ロール部２０は、壁面２に設けられた凹部２４に嵌め込み設置されており、上体支え用の帯状体２１の他、当該上体支え用の帯状体２１をバネの付勢を受けて巻回する軸体２７、軸体２７を凹部２４の開口にて軸支する支持部材２５、凹部２４の開口における上体支え用の帯状体２１の送出位置を固定するガイド２６、を備えている。軸体２７が具備するバネは、上体支え用の帯状体２１を軸体２７に巻き取ろうとする方向に付勢を行う手段である。
【００２７】
上述の上体支え用の帯状体２１は、その表面において、所定高の凸部２２と所定径の水抜き孔２３とが所定間隔で複数配置されたものである。こうした凸部２２と水抜き孔２３が配置されていることで、上体支え用の帯状体２１の水濡れを適宜抑制し、ここに上体を預けた入浴者の背中の滑りを防止することが出来る。
【００２８】
フック２８を先頭に、第２ロール部２０から浴槽内空７に向けて送り出されていく上体支え用の帯状体２１は、入浴者の引張動作により、第２係止部５０に到達する。この第２係止部５０は、壁面３に設けられた凹部５１に嵌め込み設置されている。第２係止部５０は、上述のフック２８における貫通孔２９に嵌合する嵌合突起５３（凹部の側壁５２に立設されている）、凹部５１に入り込んだ水を底部５６から排出するための開口５４、当該開口５４と連通し、開口５４から流下してくる水を排水する排水口５５、を備えている。なお、排水口５５は凹部６１の開口下方における壁面３に設けられている。
【００２９】
上体支え用の帯状体２１におけるフック２８は、第２係止部５０における嵌合突起５３と、貫通孔２９を介して嵌合される（図５の状態）。上体支え用の帯状体２１に入浴者が上体を預けた場合、当然ながら上体支え用の帯状体２１には、後方すなわち壁面５に向けた力が加わることになる。よって、第２係止部５０における嵌合突起５３とフック２８との嵌合は、入浴者が上体を預けている限り、維持されることになる。
【００３０】
上述のように、座面用の帯状体１１および上体支え用の帯状体２１がそれぞれ浴槽内空７を横断して確実に係止された状態で、入浴者は図６に示すように、座面用の帯状体１１の上に腰を下ろし、なおかつ、上体支え用の帯状体２１に背中を預けるなどして安定して着座することが出来る。なお、本実施形態では、座面用の帯状体１１の後方、すなわち壁面５により近い位置に、上体支え用の帯状体２１を設置した例を示した。しかしながら、図８に示すように、この上体支え用の帯状体２１を、座面用の帯状体１１の前方、すなわち壁面４により近い位置にも設置するとしてもよい。この場合の入浴者は、背中を自身後方にある上体支え用の帯状体２１に預けると共に、前のめりになるような事態となっても、自身前方にある上体支え用の帯状体２１にて上体を預けることができる。
【００３１】
入浴者が入浴を終え、座面用の帯状体１１および上体支え用の帯状体２１を元に戻す場合、座面用の帯状体１１におけるフック１８と、第１係止部４０における嵌合突起４３との嵌合を解くことで、座面用の帯状体１１を第１ロール部１０に収納させる。この収納は、第１ロール部１０における軸体１７のバネによる自動巻回動作で実行される。また、上体支え用の帯状体２１におけるフック２８と、第２係止部５０における嵌合突起５３との嵌合を解くことで、上体支え用の帯状体２１を第２ロール部２０に収納させる。この収納は、第２ロール部２０における軸体２７のバネによる自動巻回動作で実行される。こうして、座面用の帯状体１１および上体支え用の帯状体２１がそれぞれもとの位置に収納された場合、図７に例示するように通常の浴槽と同様の形態となる。
【００３２】
なお、図９に例示するように、第１ロール部１０および第２ロール部２０とが一体となったロールユニット８が壁面２の凹部６０に埋設され、これに応じて、第１係止部４０および第２係止部５０とが一体となった係止ユニット９が壁面３の凹部６１に埋設される構造を採用しても良い。壁面２の凹部６０、壁面３の凹部６１らに埋設された、ロールユニット８および係止ユニット９は、壁面２，３らの表面から浴槽内空７に突出しない。また、ロールユニット８および係止ユニット９は、壁面２，３らに着脱自在に埋設されるとすれば、更に好適である。ロールユニット８および係止ユニット９を、壁面２，３らに着脱自在に埋設する手法としては、例えば、ロールユニット８および係止ユニット９の背面と、壁面２，３の凹部６０，６１とに、互いに嵌着自在に係合する爪、フック、などの適宜な脱着機構を想定出来るが、これに限定しない。
【００３３】
以上、本考案を実施するための最良の形態などについて具体的に説明したが、本考案はこれに限定されるものではなく、その要旨を逸脱しない範囲で種々変更可能である。
【符号の説明】
【００３４】
１  伸縮椅子付き浴槽
２、３、４、５  壁面
６  浴槽底面
７  浴槽内空
８  ロールユニット
９  係止ユニット
１０  第１ロール部
１１  座面用の帯状体
１２  凸部
１３  水抜き孔
１４  凹部
１５  支持部材
１６  ガイド
１７  軸体
１８  フック
１９  貫通孔
２０  第２ロール部
２１  上体支え用の帯状体
２２  凸部
２３  水抜き孔
２４  凹部
２５  支持部材
２６  ガイド
２７  軸体
２８  フック
２９  貫通孔
３０  手すり
３１  シャワー
３２  鏡台
４０  第１係止部
４１  凹部
４２  底部
４３  嵌合突起
４４  開口
４５  排水口
５０  第２係止部
５１  凹部
５２  側壁
５３  嵌合突起
５４  開口
５５  排水口
５６  底部
６０、６１  凹部
【図１】
0003177320.tif 000003
【図２】
0003177320.tif 000004
【図３】
0003177320.tif 000005
【図４】
0003177320.tif 000006
【図５】
0003177320.tif 000007
【図６】
0003177320.tif 000008
【図７】
0003177320.tif 000009
【図８】
0003177320.tif 000010
【図９】
0003177320.tif 000011